(57)【要約】【課題】製造コストを抑えつつ、薬剤の放出回数を容易に確認することができる。【解決手段】カウンタ収納部１８の天板部１９を下方に向けて押圧し、このカウンタ収納部１８およびカウンタ１７を、エアゾール容器１１の本体１１ｂとともに押し下げたときに、カウンタ収納部１８の側壁部２０における対向部分２４の外表面が、容器収納部１２の上端開口部の内周面に形成された凹部１２ｃの下端面１２ｄと摺接することにより、この対向部分２４が容器収納部１２の径方向内方に向けて弾性変形させられ、カウント釦１７ａを押し込む構成とされている。【選択図】図１
2008161548.tif 000002
【特許請求の範囲】
【請求項１】
内部にエアゾール容器が収納されるとともに、放出開口部が形成された有底筒状の容器収納部が備えられ、
この容器収納部内の底面に噴霧筒部が立設され、この噴霧筒部に、前記エアゾール容器のステムが嵌合されるとともに、前記放出開口部に向けて開口するノズルが形成され、
前記エアゾール容器内に収容された薬剤を、前記ノズルおよび放出開口部を通して外部に放出する薬剤放出器具であって、
内部にカウンタが収納される有頂筒状のカウンタ収納部が設けられるとともに、前記容器収納部の上端開口部の内周面において、前記カウンタに突設されたカウント釦と対向する位置に凹部が形成され、
前記カウンタ収納部の側壁部においてその開放端側に位置する部分が、前記容器収納部の上端開口部の内周面において前記凹部よりも前記底面側に位置する部分にその軸方向に摺動可能に嵌合する嵌合部分とされ、
前記側壁部においてこの嵌合部分よりも天板部側に位置する部分のうち、前記凹部に前記容器収納部の径方向で対向する対向部分が、前記径方向に弾性変形可能に形成されるとともに、当該対向部分の外表面が前記嵌合部分の外表面よりも前記径方向外方に位置させられ、
前記凹部において前記底面側の下端面は、この容器収納部の径方向内方に向かうに従い漸次、前記底面側に向けて延在し、
前記カウンタ収納部の天板部を前記底面側に向けて押圧し、このカウンタ収納部およびカウンタを、前記エアゾール容器の本体とともに前記底面側に向けて押し下げたときに、前記対向部分の外表面が前記凹部の下端面と摺接することによりこの対向部分が前記径方向内方に向けて弾性変形させられ、前記カウント釦を押し込む構成とされたことを特徴とする薬剤放出器具。
【請求項２】
請求項１記載の薬剤放出器具であって、
前記カウンタ収納部の天板部において、前記カウンタに設けられたカウント表示部と対向する位置に表示窓が形成されていることを特徴とする薬剤放出器具。
【発明の詳細な説明】
【技術分野】
【０００１】
本発明は、エアゾール容器内に収容された薬剤を外部に放出するのに用いられる薬剤放出器具に関するものである。
【背景技術】
【０００２】
この種の薬剤放出器具として、従来から、内部にエアゾール容器が収納されるとともに、放出開口部が形成された有底筒状の容器収納部が備えられ、この容器収納部内の底面に噴霧筒部が立設され、この噴霧筒部に前記エアゾール容器のステムが嵌合されるとともに、前記放出開口部に向けて開口するノズルが形成された構成が知られている。なお、この種のエアゾール容器に収容される薬剤としては、例えば喘息薬や育毛剤等が挙げられる。
ところで近年では、需要者にエアゾール容器内の薬剤の残量を任意のときに把握させたり、薬剤の正確な使用量をその使用のたびに把握させたりする等のために、この薬剤の放出回数が確認可能な薬剤放出器具が要求されている。このような要求に応えるために、従来では、例えば下記特許文献１に示されるように、容器収納部内の底面にカウンタ機構等を設ける構成が提案されている。
【特許文献１】特許第３４８７８６６号公報
【発明の開示】
【発明が解決しようとする課題】
【０００３】
しかしながら、このように容器収納部内の底面にカウンタ機構等を設けると、薬剤放出器具の構造が複雑で組み立てに時間がかかる等、製造コストを抑えるのが困難であるという問題があった。
【０００４】
本発明は、このような事情を考慮してなされたもので、製造コストを抑えつつ、薬剤の放出回数を容易に確認することができる薬剤放出器具を提供することを目的とする。
【課題を解決するための手段】
【０００５】
上記課題を解決して、このような目的を達成するために、本発明の薬剤放出器具は、内部にエアゾール容器が収納されるとともに、放出開口部が形成された有底筒状の容器収納部が備えられ、この容器収納部内の底面に噴霧筒部が立設され、この噴霧筒部に、前記エアゾール容器のステムが嵌合されるとともに、前記放出開口部に向けて開口するノズルが形成され、前記エアゾール容器内に収容された薬剤を、前記ノズルおよび放出開口部を通して外部に放出する薬剤放出器具であって、内部にカウンタが収納される有頂筒状のカウンタ収納部が設けられるとともに、前記容器収納部の上端開口部の内周面において、前記カウンタに突設されたカウント釦と対向する位置に凹部が形成され、前記カウンタ収納部の側壁部においてその開放端側に位置する部分が、前記容器収納部の上端開口部の内周面において前記凹部よりも前記底面側に位置する部分にその軸方向に摺動可能に嵌合する嵌合部分とされ、前記側壁部においてこの嵌合部分よりも天板部側に位置する部分のうち、前記凹部に前記容器収納部の径方向で対向する対向部分が、前記径方向に弾性変形可能に形成されるとともに、当該対向部分の外表面が前記嵌合部分の外表面よりも前記径方向外方に位置させられ、前記凹部において前記底面側の下端面は、この容器収納部の径方向内方に向かうに従い漸次、前記底面側に向けて延在し、前記カウンタ収納部の天板部を前記底面側に向けて押圧し、このカウンタ収納部およびカウンタを、前記エアゾール容器の本体とともに前記底面側に向けて押し下げたときに、前記対向部分の外表面が前記凹部の下端面と摺接することによりこの対向部分が前記径方向内方に向けて弾性変形させられ、前記カウント釦を押し込む構成とされたことを特徴とする。
この発明によれば、カウンタ収納部の天板部を押圧し、このカウンタ収納部およびカウンタを、エアゾール容器の本体とともに前記底面側に向けて押し下げたときに、エアゾール容器のステムから薬剤が噴射されるとともに、前記対向部分が前記凹部の下端面により前記径方向内方に向けて弾性変形させられ、前記カウント釦を押し込む構成とされているので、エアゾール容器内の薬剤を放出して使用するたびに前記カウンタでその放出回数をカウントすることが可能になり、このエアゾール容器からの薬剤の放出回数を容易に確認することができる。
しかも、薬剤放出器具に、カウンタ、カウンタ収納部、前記対向部分、および前記凹部を設ければ、前述のような作用効果を奏功させることが可能になり、この薬剤放出器具の構造が複雑になるのを抑えることができる。
【０００６】
ここで、カウンタ収納部の天板部において、前記カウンタに設けられたカウント表示部と対向する位置に表示窓が形成されてもよい。
この場合、カウンタ収納部の天板部に表示窓が形成されているので、薬剤の放出回数を容易かつ確実に確認することができる。
【発明の効果】
【０００７】
この発明に係る薬剤放出器具によれば、製造コストを抑えつつ、薬剤の放出回数を容易に確認することができる。
【発明を実施するための最良の形態】
【０００８】
以下、図面を参照し、この発明の実施の形態について説明する。本実施形態に係る薬剤放出器具１０は、図１に示されるように、内部にエアゾール容器１１が収納される有底筒状の容器収納部１２が備えられ、この容器収納部１２の底部１３に放出開口部１３ａが形成されている。また、容器収納部１２内の底面１２ａには、噴霧筒部１５が立設されており、この噴霧筒部１５に、エアゾール容器１１のステム１１ａが嵌合されるとともに、放出開口部１３ａに向けて開口するノズル１６が形成されている。以下、薬剤放出器具１０において、容器収納部１２の底部１３側を下側といい、容器収納部１２の上端開口部側を上側という。
【０００９】
図示の例では、容器収納部１２の外周面において放出開口部１３ａの開口周縁部に、この放出開口部１３ａと同軸に筒状の吐出部１４が突設されており、この吐出部１４の内部は、放出開口部１３ａを介して容器収納部１２の内部と連通している。また、ノズル１６の中心軸と、側面開口部１３ａおよび吐出部１４の中心軸とはほぼ一致している。
以上より、エアゾール容器１１内に収容された薬剤を、ノズル１６、放出開口部１３ａおよび吐出部１４を通して外部に放出できるようになっている。
【００１０】
ここで、噴霧筒部１５は、容器収納部１２内の底面１２ａに、この容器収納部１２の内周面における中心軸線Ｏと同軸上に立設されている。また、エアゾール容器１１のステム１１ａは、容器本体１１ｂの軸方向における一端面にこの容器本体１１ｂと同軸上に外方付勢状態で立設されており、このエアゾール容器１１は、ステム１１ａが噴霧筒部１５に嵌合されることにより、その軸線が前記中心軸線Ｏと一致させられた状態で、逆立ち姿勢とされて容器収納部１２内に配置されるようになっている。さらに、このように容器収納部１２内に配置されたエアゾール容器１１の容器本体１１ｂの軸方向における他端面、つまり底面は、容器収納部１２の上端開口面１２ｂよりも下方に位置されている。
【００１１】
そして、本実施形態では、内部にカウンタ１７が収納される有頂筒状のカウンタ収納部１８が設けられている。図示の例では、カウンタ収納部１８は、側壁部２０と、この側壁部２０に着脱可能に嵌合された天板部１９とを備えている。
【００１２】
ここで、容器収納部１２の上端開口部の内周面において、後述するカウント釦１７ａと対向する位置に凹部１２ｃが形成されている。図示の例では、凹部１２ｃは、容器収納部１２の上端開口面１２ｂに開口して、この凹部１２ｃは上端面を有しない構成とされている。そして、カウンタ収納部１８の側壁部２０において、その開放端２０ａ側に位置する部分が、容器収納部１２の上端開口部の内周面において凹部１２ｃの下方に位置する部分に前記中心軸線Ｏ方向に摺動可能に嵌合する嵌合部分２０ｂとなっている。図示の例では、側壁部２０の内周面に、この側壁部２０の内部を前記中心軸線Ｏ方向で仕切り、かつその径方向に沿って延びる仕切り板２１が設けられており、側壁部２０においてこの仕切り板２１よりも下方に位置する部分が前記嵌合部分２０ｂとなっている。なお、この嵌合部分２０ｂは、容器収納部１２内に配置されたエアゾール容器１１の容器本体１１ｂの底部側外周面に嵌合している。また、仕切り板２１の下面は容器本体１１ｂの底面に当接している。
【００１３】
ここで、カウンタ１７は概略立方体状に構成されたカウンタ本体１７ｂを備え、このカウンタ本体１７ｂの一面に柱状のカウント釦１７ａが突設されるとともに、他の一面に図示されない表示部が設けられている。
そして、このカウンタ１７は、前記他の一面と反対側の裏面が仕切り板２１の上面に当接し、かつ前記他の一面が天板部１９の下面に当接し、さらにカウント釦１７ａが容器収納部１２の径方向に延在させられた状態で、カウンタ収納部１８内に配置されている。
【００１４】
さらに、この天板部１９において前記表示部と対向する位置に、厚さ方向に貫通する表示窓１９ａが形成されている。
また、図示の例では、仕切り板２１の上面において側壁部２０の内側に、カウンタ１７の外形形状に沿った内面形状の収納筒２２が立設されており、この収納筒２２内にカウンタ１７が嵌合している。
【００１５】
この収納筒２２の外周面において、カウント釦１７ａが位置する部分には、その厚さ方向に貫通し、かつ上方に向けて開口した切欠き部２２ａが形成されており、この切欠き部２２ａを通してカウント釦１７ａが収納筒２２の外周面から前記径方向の外方に突出している。また、収納筒２２の外周面において切欠き部２２ａの外周縁部に、収納筒２２の周方向で互いに対向する一対のガイド板２３が突設されている。なお、図示の例では、一対のガイド板２３は、その下端が仕切り板２１の表面に連結され、かつ突端が側壁部２０の内周面に連結されている。
これにより、切欠き部２２ａを通して収納筒２２の外周面から突出したカウント釦１７ａが、一対のガイド板２３により収納筒２２の周方向で挟まれて、後述のようにカウント釦１７ａが押されたときに、こじらせることなくスムーズにカウンタ本体１７ｂの内部に向けて押し込むことができるようになっている。
【００１６】
さらに、本実施形態では、カウンタ収納部１８の側壁部２０において嵌合部分２０ｂよりも天板部１９側、つまり前記中心軸線Ｏ方向の上方に位置する部分のうち、前記凹部１２ｃに、容器収納部１２の径方向で対向する対向部分２４は、前記径方向に弾性変形可能に形成されるとともに、その外表面が嵌合部分２０ｂの外表面よりも前記径方向外方に位置させられている。図示の例では、対向部分２４は、側壁部２０において仕切り板２１よりも前記中心軸線Ｏ方向の上方に位置する部分の一部とされ、この対向部分２４における仕切り板２１若しくは嵌合部分２０ｂとの連結部分は、側壁部２０の中で最も厚さの薄い薄肉部２４ａとなっている。
【００１７】
そして、この対向部分２４は、その前記中心軸線Ｏ方向の下端、つまり薄肉部２４ａを除く全体が側壁部２０から分離されており、これにより前記対向部分２４は、薄肉部２４ａ回りに回動可能とされて前記径方向に弾性変形できるようになっている。さらに、この対向部分２４において薄肉部２４ａに前記中心軸線Ｏ方向の上方で連なる連結部分２４ｂの、容器収納部１２の内周面と対向する外表面は、この中心軸線Ｏ方向の上方から下方に向かうに従い漸次、容器収納部１２の径方向内方に向けて延びる傾斜面となっている。
【００１８】
さらに本実施形態では、容器収納部１２の上端開口部の内周面に形成された凹部１２ｃの下端面１２ｄは、この容器収納部１２の径方向内方に向かうに従い漸次、下方に向けて延在している。図示の例では、凹部１２ｃの下端面１２ｄは、前記連結部分２４ｂの外表面に対向しており、当該連結部分２４ｂの前述した傾斜面に沿った表面形状となっている。
【００１９】
次に、以上のように構成された薬剤放出器具１０の使用方法について説明する。
まず、カウンタ収納部１８の天板部１９を下方に向けて押圧し、このカウンタ収納部１８およびカウンタ１７を、エアゾール容器１１の容器本体１１ｂとともに下方に向けて押し下げる。この際、前記対向部分２４が、前記連結部分２４ｂの外表面が凹部１２ｃの下端面１２ｄに摺接しながら下方に移動することによって、薄肉部２４ａ回りに回動させられて前記径方向内方に向けて弾性変形させられ、カウント釦１７ａがカウンタ本体１７ｂの内方に向けて押し込まれるとともに、ステム１１ａが容器本体１１ｂの軸方向内側に向けて押し込まれる。これにより、ステム１１ａからノズル１６、放出開口部１３ａおよび吐出部１４を通して外部に薬剤が放出されるとともに、カウンタ１７によりこの放出が追加してカウントされる。
【００２０】
以上説明したように本実施形態に係る薬剤放出器具１０によれば、カウンタ収納部１８の天板部１９を押圧し、このカウンタ収納部１８およびカウンタ１７を、容器本体１１ｂとともに下方に向けて押し下げたときに、エアゾール容器１１のステム１１ａから薬剤が噴射されるとともに、前記対向部分２４が前記凹部１２ｃの下端面１２ｄにより前記径方向内方に向けて弾性変形させられ、カウント釦１７ａを押し込む構成とされているので、エアゾール容器１１内の薬剤を放出して使用するたびにカウンタ１７でその放出回数をカウントすることが可能になり、このエアゾール容器１１からの薬剤の放出回数を容易に確認することができる。
【００２１】
しかも、薬剤放出器具１０に、カウンタ１７、カウンタ収納部１８、前記対向部分２４、および前記凹部１２ｃを設ければ、前述のような作用効果を奏功させることが可能になり、この薬剤放出器具１０の構造が複雑になるのを抑えることができる。
また、本実施形態では、カウンタ収納部１８の天板部１９において、カウンタ１７に設けられたカウント表示部と対向する位置に表示窓１９ａが形成されているので、薬剤の放出回数を容易かつ確実に確認することができる。
【００２２】
なお、本発明の技術的範囲は前記実施の形態に限定されるものではなく、本発明の趣旨を逸脱しない範囲において種々の変更を加えることが可能である。
例えば、前記実施形態では、薬剤放出器具１０として、容器収納部１２の底部１３側における外周面に吐出部１４が連結された構成を示したが、この吐出部１４は設けなくてもよい。
【００２３】
また、前記実施形態では、凹部１２ｃを、容器収納部１２の上端開口面１２ｂに開口させたが、この上端開口面１２ｂに開口させず前記下端面１２ｄのみならず上端面をも有する凹部１２ｃを採用してもよい。さらに、前記対向部分２４の連結部分２４ｂの外表面は前記中心軸線Ｏ方向に沿って延びる凹曲面状若しくは凸曲面状にしてもよく、さらに、この凹曲面若しくは凸曲面に沿うように前記凹部１２ｃの下端面１２ｄを凸曲面状若しくは凹曲面状にしてもよい。
【００２４】
さらにまた、収納筒２２の外周面にガイド板２３は設けなくてもよい。さらに、ガイド板２３は、収納筒２２の外周面ではなく、カウンタ本体１７ｂの外表面に設けて前記実施形態と同様にカウンタ釦１７ａを挟み込ませるようにしてもよい。なお、このようにカウンタ本体１７ｂにガイド板を設けた場合、このガイド板は、前記切欠き部２２ａ若しくは収納筒２２の外周面に追加して形成した他の切欠き部を通して収納筒２２の外周面から突出させるようにしてもよい。
【００２５】
また、前記実施形態で示したカウンタ収納部１８に代えて、例えば図４に示されるように、天板部１９を側壁部２０と一体に形成するとともに、仕切り板２１を設けず、収納筒２２を天板部１９の下面から垂設し、その下端開口部をエアゾール容器１１の底面上に配置するようにしてもよい。さらに、この収納筒２２の外周面において、カウント釦１７ａが位置する部分に、その厚さ方向に貫通し、かつ下方に向けて開口した切欠き部３１を形成し、この切欠き部３１を通してカウント釦１７ａを収納筒２２の外周面から前記径方向の外方に突出させるようにしてもよい。
【００２６】
さらに、図４で示した実施形態に代えて、例えば図５に示されるように、前記対向部分２４を天板部１９の下面に垂設し、この対向部分２４において天板部１９の下面に連結された前記中心軸線Ｏ方向の上端部を、この側壁部２０の中で最も厚さの薄い薄肉部３２としてもよい。そして、この対向部分２４の外周縁において前記薄肉部３２を除く全体を側壁部２０から分離して、この対向部分２４を、薄肉部３２回りに回動可能にし前記径方向に弾性変形できるようにしてもよい。
また、この対向部分２４の前記中心軸線Ｏ方向における下端面３３を、前記中心軸線Ｏ方向の下方に向かうに従い漸次径方向内方に向けて延びるように傾斜させてもよい。
【００２７】
さらに、図１から図５で示した薬剤放出器具１０は、これらの図に示した姿勢に限らず、例えば、容器収納部１２の放出開口部１３ａや噴霧筒部１５を前記中心軸線Ｏ方向の上方に位置させ、かつエアゾール容器１１を正立姿勢にした状態で、薬剤を放出するようにしてもよく、薬剤使用時における薬剤放出器具１０の姿勢は特に限定されるものではない。
また、放出開口部１３ａは、前記実施形態に代えて例えば容器収納部１２の底面１２ａに形成してもよく、さらにこの場合、吐出部１４を噴霧筒部１５と一体に形成してもよい。
【産業上の利用可能性】
【００２８】
製造コストを抑えつつ、薬剤の放出回数を容易に確認することができる。
【図面の簡単な説明】
【００２９】
【図１】本発明に係る第１実施形態として示した薬剤放出器具の縦断面図である。
【図２】図１に示す薬剤放出器具の一部拡大図である。
【図３】図１および図２に示す薬剤放出器具においてエアゾール容器内の薬剤を放出している状態を示す一部拡大図である。
【図４】本発明に係る第２実施形態として示した薬剤放出器具の一部拡大縦断面図である。
【図５】本発明に係る第３実施形態として示した薬剤放出器具の一部拡大縦断面図である。
【符号の説明】
【００３０】
１０  薬剤放出器具
１１  エアゾール容器
１１ａ  ステム
１２  容器収納部
１２ａ  底面
１２ｃ  凹部
１２ｄ  下端面
１３ａ  放出開口部
１５  噴霧筒部
１６  ノズル
１７  カウンタ
１７ａ  カウント釦
１８  カウンタ収納部
１９  天板部
１９ａ  表示窓
２０  側壁部
２０ａ  開放端
２０ｂ  嵌合部分
２４  対向部分
【図１】
2008161548.tif 000003
【図２】
2008161548.tif 000004
【図３】
2008161548.tif 000005
【図４】
2008161548.tif 000006
【図５】
2008161548.tif 000007